(57)【要約】      （修正有）【課題】コンクリート型枠を固定するために使用する複数のパイプ資材に対して、いわゆる玉掛けをし易く、また、比較的軽量で低コストの複数のパイプ資材を整理するためのパイプ整理台を提供する。【解決手段】パイプ資材を載置する横桟部２０と、前記横桟部２０の端部と接続し、かつ支柱を配置するための開口部３１と、を有する脚部３０と、前記脚部３０の下部に配置した支え部３５と、を具備し、前記開口部３１に、前記支柱を抜き差し可能に配置することができる整理架台１５である。【選択図】図１
2019038545.tif 000002
【特許請求の範囲】
【請求項１】
パイプ資材を載置する横桟部と、
前記横桟部の端部と接続し、かつ支柱を配置するための開口部と、を有する脚部と、
前記脚部の下部に配置した支え部と、を具備し、
前記開口部に、前記支柱を抜き差し可能に配置することができる整理架台。
【請求項２】
前記支え部は、前記脚部の下部開口部と面一となるように配置された整理架台。
【請求項３】
前記支え部は、前記脚部に取り付けるための取り付け部と、
前記脚部を支えるために地面と接する設置部と、を有し、
前記取り付け部は、前記脚部と接続された請求項１または２記載の整理架台。
【請求項４】
前記請求項１から３のいずれか１項記載の整理架台をそれぞれ２個有する整理台。
【発明の詳細な説明】
【技術分野】
【０００１】
本発明は、特に建設現場において、パイプ資材を整理するために使用する整理台に関するものである。
【背景技術】
【０００２】
特に、建設現場において、コンクリート型枠を固定するために、多数のパイプ資材を使用する。この場合、その多数のパイプ資材を整理するために、整理台を使用する場合がある。たとえば、特開２００９−１２０２３９号公報において、整理台に相当する保管治具は、中央の部分が下向きに屈曲した“舟形”になっており、底面プレート４の左右両側に、それぞれ、傾斜面プレート５，５が、左右対称となるように設置されており、各傾斜面プレート５，５の表面が、底面プレートの表面に対して、１２０°の角度を成している。そして、底面プレート４および傾斜面プレート５，５によってパイプ載置部Ｓが形成されており、前面プレート２、後面プレート３の前後の各連結部分ｃ，ｃおよび上面プレート６，６によって連結部Ｌ，Ｌが形成されているというものである。
【０００３】
しかしながら上記整理台に相当する保管治具は、中央の部分が下向きに屈曲した“舟形”の部分に、複数のパイプ資材を載置する構成であるので、それらパイプ資材を載せ易いという利点があるものの、工事現場において、２個１組の保管治具を、使用して複数のパイプ資材を載置する場合に、今度はその中央の部分が下向きに屈曲した“舟形”になっているために、再びその複数のパイプ資材を結束しにくいという問題がある。すなわち、複数のパイプに対するいわゆる玉掛けがしにくいという問題がある。また、その保管治具の形状が比較的複雑であるので、コスト高を招くという問題がある。
【先行技術文献】
【特許文献】
【０００４】
【特許文献１】特開２００９−１２０２３９号公報
【発明の概要】
【発明が解決しようとする課題】
【０００５】
本発明は前記の点に着目してなされたもので、その課題は、コンクリート型枠を固定するために使用する複数のパイプ資材に対して、いわゆる玉掛けをし易く、また、比較的軽量で低コストの複数のパイプ資材を整理するためのパイプ整理台を提供することを目的とする。
【０００６】
第１観点における整理架台は、パイプ資材を載置する横桟部と、横桟部の端部と接続し、かつ支柱を配置するための開口部と、を有する脚部と、脚部の下部に配置した支え部と、を具備し、開口部に、支柱を抜き差し可能に配置することができるというものである。
【０００７】
第２観点におけるパイプ整理架台は、第１観点において、支え部は、脚部の下部開口部と面一となるように配置するというものである。
【０００８】
また、第３観点におけるパイプ整理架台は、第１観点または、第２観点において、支え部は、脚部に取り付けるための取り付け部と、脚部を支えるために地面と接する設置部と、を有し、取り付け部は、脚部と接続されるというものである。
【０００９】
第４観点におけるパイプ整理台は、第１観点から、第３観点における整理架台をそれぞれ２個有するというものである。
【発明の効果】
【００１０】
本発明によれば、コンクリート型枠を固定するために使用する複数のパイプ資材に対して、いわゆる玉掛けをし易く、また、比較的軽量で低コストの複数のパイプ資材を整理するためのパイプ整理台を提供することができる。
【図面の簡単な説明】
【００１１】
【図１】第１実施例におけるパイプ整理台の斜視図。
【図２】ａは、第１実施例におけるパイプ整理架台の正面図。ｂは、第１実施例におけるパイプ整理架台の平面図。ｃは、第１実施例におけるパイプ整理架台の底面図。
【図３】第２実施例におけるパイプ整理台の斜視図。
【図４】ａは、第２実施例におけるパイプ整理架台の正面図。ｂは、第２実施例におけるパイプ整理架台の平面図。ｃは、第２実施例におけるパイプ整理架台の底面図。
【図５】ａは、第１実施例におけるパイプ整理台に帯でまとめた状態の複数のパイプ資材を載置した使用状態図。ｂは、第１実施例におけるパイプ整理台に帯を解いた状態の複数のパイプ資材を載置した使用状態図。
【発明を実施するための形態】
【００１２】
第１実施例の整理台１０について説明する。整理台１０は、一対の整理架台１５、１５を有するものである。すなわち、整理台１０は、２個の整理架台１５を有するものである。この整理架台１５、１５は、同一の構成を有するので、一方の整理架台１５のみについて説明をし、他方の整理架台１５の説明は省略する。また、一対の整理架台１５、１５は、金属性が好ましい。
【００１３】
整理架台１５は、型枠を固定するためのパイプ資材を整理するためにそのパイプ資材を載置するための直線状の横桟部２０を有し、その横桟部２０のそれぞれの端部は、後述する脚部３０、３０と接続部４０、４０によって接続されている。また、横桟部２０は、その脚部３０、３０同士を渡すように配置されている。横桟部２０は、中空状のパイプが好ましい。さらに、横桟部２０は、いわゆる角パイプが好ましく、本実施例においては、横桟部２０は、１辺が５０ミリメートルの角パイプが好ましい。また、その長さは６０５ミリメートルが好ましい。従って、脚部３０、３０同士は、横桟部２０の長さによって離れた位置に配置されている。
【００１４】
横桟部２０の端部は、それぞれ、脚部３０、３０同士と接続部４０によって、接続されており、脚部３０、３０の開口部３１、３１と横桟部２０の上部２１が面一になるように配置することが好ましい。
【００１５】
横桟部２０の下部２２に、水抜き孔２５、２５を有している。横桟部２０の内側に水が浸入した場合における排出口としての機能を有するものである。また、横桟部２０における長手方向の中央部に、取っ手部２７を有している。取っ手部２７は、文字通り、整理架台１５を持ち運びするためのものである。
【００１６】
脚部３０、３０は、中空状の角パイプを立設したものであり、その下部に、それぞれ、取り付け部３５ａと、設置部３５ｂと、からなるＬ字状の支え部３５、３５を有している。支え部材３５、３５は文字通り、脚部３０を支えるものであり、取り付け部３５ａは、脚部３０の下部に溶接されている。また、設置部３５ｂは、設置面すなわち地面と接するように配置され、脚部３０の下部開口部３６と面一になるように配置されている。これにより、脚部３０を支えることができる。なお、脚部３０、３０は、長さ１５０ミリメートル、６０ミリ角の角パイプが好ましい。
【００１７】
接続部４０は、溶接によって横桟部２０のそれぞれの端部は、脚部３０、３０と接続することが好ましく、横桟部２０の周囲全部を脚部３０と溶接するほか、横桟部２０の周囲全部のうちの一部を脚部３０と溶接する場合であってもよい。
【００１８】
脚部３０、３０は上述のとおり中空状の角パイプが好ましく、上端に開口部３１を有し、その開口部３１から内部にむかって貫通する構成である。後述するようにこの開口部３１に、支柱として使用する所定長さの別途角パイプあるいは丸パイプＰを抜き差し可能に挿入して配置することで、横桟部２０に、それぞれパイプ資材Ｐを配置することができる。この点については後述する。
【００１９】
また第１実施例においては上記のとおり、１辺が５０ミリメートルの角パイプが好ましい。さらに、長さは６０５ミリメートルが好ましく、脚部３０、３０は、長さ１５０ミリメートル、６０ミリ角の角パイプが好ましいことから、脚部３０、３０の上端部３１と横桟部２０の上部２１が面一になるように配置すると、横桟部２０と設置面との間に所定の隙間、すなわち第１実施例に拠ればおよそ１００ミリメートルの隙間が生じる。これにより後述するように玉掛けが容易となる。
【００２０】
第２実施例の整理台１００について説明する。整理台１００は、一対の整理架台１５０、１５０を有するものである。この整理架台１５０、１５０は、同一の構成を有すものであるので一方の整理架台１５０のみについて説明をし、他方の整理架台１５０の説明は省略する。
【００２１】
整理架台１５０は、型枠を固定するためのパイプ資材Ｐを整理するためにそのパイプ資材Ｐを載置する横桟部２００を有し、その横桟部２００の両端部は、後述する脚部３００、３００と、接続部４００によって接続され、横桟部２００は、その脚部３００、３００同士を渡すように配置されている。横桟部２００は、中空状のパイプが好ましい。さらに横桟部２００は、いわゆる角パイプが好ましく、本実施例においては、横桟部２００は、１辺が６０ミリメートルの角パイプが好ましい。また、その長さは６０５ミリメートルが好ましい。
【００２２】
横桟部２００の端部は、それぞれ、脚部３００、３００同士と接続部４００によって、接続されており、脚部３００、３００において下（設置面）から所定の位置において接続するように配置されている。なお、所定の位置とは、５０ミリメートル程度が好ましい。
【００２３】
接続部４００は、長方形状で薄板状のプレート部４１０と、ボルト部４２０とナット部４３０と、からなり、横桟部２００にあけた図示しないボルト孔と、脚部３００にあけた図示しないボルト孔とを接続するように上記プレート部４１０をあてがい、横桟部２００にあけた図示しないボルト孔と連通する第１ボルト孔と、脚部３００にあけた図示しないボルト孔と連通する第２ボルト孔と、にそれぞれ、ボルト部４２０を取り付け、ナット部４３０で固定する。
【００２４】
横桟部２００の下部２２０に、水抜き孔２５０、２５０を有している。横桟部２０の内側に水が浸入した場合における排出口としての機能を有するものである。また、横桟部２００における長手方向の中央部に、取っ手部２７０を有している。取っ手部２７０は、文字通り、整理架台１５０を持ち運びするためのものである。
【００２５】
脚部３００、３００は、中空状の角パイプを立設したものであり、その下部に、それぞれ、取り付け部３５０ａと、設置部３５０ｂと、からなるＬ字状の支え部３５０、３５０を有している。支え部材３５０、３５０は文字通り、脚部３００を支えるものであり、取り付け部３５０ａは、脚部３００の下部にボルト３６０と図示しないナットによって接続されている。また、設置部３５ｂは、地面と接するように配置され、脚部３００の下部開口部３７０と面一になるように配置されている。これにより、脚部３０を支えることができる。
【００２６】
脚部３００、３００は上述のとおり中空状の角パイプであり、開口部３１０を有している。後述するようにこの開口部３１０に別途角パイプあるいは丸パイプを挿入して配置することで、複数のパイプ資材を配置することができるが、ある程度、脚部３００における取り付け位置よりも上方に突出した構成であるので、この脚部３００に挿入した角パイプあるいは丸パイプを安定して配置することができる。この点については後述する。
【００２７】
また第２実施例においては上記のとおり、１辺が６０ミリメートルの角パイプが好ましい。さらに、長さは６０５ミリメートルが好ましく、脚部３０、３０は、長さ１５０ミリメートル、６０ミリ角の角パイプが好ましいことから、脚部３００、３００における取り付け部３５０ａの直上に横桟部２００を配置すると、取り付け部３５０ａの寸法が５０ミリ四方の場合に横桟部２００と設置面との間に所定の隙間、すなわち第２実施例に拠ればおよそ５０ミリメートルの隙間が生じる。これにより後述するように玉掛けが容易となる。
【００２８】
第１実施例の整理台１０の使用方法について説明する。一対の整理架台１５、１５を一定の間隔をあけて並べ、脚部３０、３０、３０、３０の開口部３１、３１、３１、３１にそれぞれ、支柱として使用するために、４本の角パイプあるいは丸パイプＰを挿入して立設する。本実施例においては丸パイプＰを使用する。この丸パイプＰは、建設現場において、コンクリート型枠を固定するために使用するパイプ資材であるパイプＰを支柱として、脚部３０、３０、３０、３０の開口部３１、３１、３１、３１にそれぞれ抜き差し可能に挿入して立設することができる。従って、収納する多数のパイプＰであるパイプ資材の拡散を防止するためのいわば支柱となるものを建設現場で調達することができるので、一対の整理架台１５、１５を比較的軽量化することができる。また、不使用には、支柱となる４本の角パイプあるいは丸パイプＰを取り外すことができるので、一対の整理架台１５、１５の持ち運びが容易である。
【００２９】
また、脚部３０、３０、３０、３０の開口部３１、３１、３１、３１にそれぞれ、４本の丸パイプＰを挿入して立設した状態において、帯Ｖで縛られた複数のパイプ資材である丸パイプＰを一対の整理架台１５、１５に載置する。その後帯Ｖを解けば、複数の丸パイプＰであるパイプ資材を、一対の整理架台１５、１５からなる整理台１０に収納することができる。この場合において、脚部３０、３０、３０、３０の開口部３１、３１、３１、３１にそれぞれ立設した４本の丸パイプＰによって、所定の位置にその複数の丸パイプＰであるパイプ資材をまとめることができ、かつ、横桟部２０の下部２２と設置面との間に隙間が生じているので、再度その帯Ｖを複数のパイプ資材に掛けるいわゆる玉掛けをし易いものとなる。また、整理台１０を構成する一対の整理架台１５、１５の構成が比較的複雑ではないために製作コストを低減することができる。
【００３０】
また、第２実施例の整理台１００の使用方法については、第１実施例の整理台１０の使用方法と同様であり、図示しないが、念のため説明する。第２実施例の整理台１０における一対の整理架台１５０、１５０を一定の間隔をあけて並べ、脚部３００、３００、３００、３００の開口部３１０、３１０、３１０、３１０にそれぞれ、４本の角パイプあるいは丸パイプを挿入して立設する。この丸パイプは、建設現場において、コンクリート型枠を固定するために使用するパイプ資材を支柱として、脚部３００、３００、３００、３００の開口部３１０、３１０、３１０、３１０にそれぞれ抜き差し可能に挿入して立設することができる。従って、収納する多数のパイプ資材の拡散を防止するためのいわば柱となるものを建設現場で調達することができるので、一対の整理架台１５０、１５０を比較的軽量化することができる。
【００３１】
また、脚部３００、３００、３００、３００の開口部３１０、３１０、３１０、３１０にそれぞれ、４本の角パイプあるいは丸パイプを挿入して立設した状態において、帯で縛られた複数のパイプ資材を一対の整理架台１５０、１５０に載置する。その後帯を解けば、複数のパイプ資材を、一対の整理架台１５０、１５０からなる整理台１００に収納することができる。この場合において、脚部３００、３００、３００、３００の開口部３１０、３１０、３１０、３１０にそれぞれ立設した４本の角パイプあるいは丸パイプによって、所定の位置すなわち脚部３００、３００、３００、３００の間に、その複数のパイプ資材をまとめることができる。また、横桟部２００の下部２２０と設置面との間に隙間が生じているので、再度その帯を複数のパイプ資材に掛けるいわゆる玉掛けをし易いものとなる。また、整理台１００を構成する一対の整理架台１５０、１５０の構成が比較的複雑ではないために製作コストを低減することができる。
【符号の説明】
【００３２】
１０  整理台
１５  整理架台
２０  横桟部
２１  上部
２７  取っ手部
３０  脚部
３１  開口部
３５  支え部
３５ａ  取り付け部
３５ｂ  設置部
４０  接続部
【図１】
2019038545.tif 000003
【図２】
2019038545.tif 000004
【図３】
2019038545.tif 000005
【図４】
2019038545.tif 000006
【図５】
2019038545.tif 000007